(57)【要約】【課題】パーソナルコンピュータなどの電子機器からディスク装置へ送受信されるデータの容量を低減して送受信することができ、データを送受信する時間の削減およびデータの持ち運びに関する利便性を高めたディスク装置のデータ送受信方法及び光ディスク装置を提供することを目的とする。【解決手段】本発明のディスク装置のデータ送受信方法は、ディスク装置と他の電子機器間で用いられるディスク装置のデータ送受信方法であって、ディスク装置が、他の電子機器からデータを受信する際に（Ｓ２〜Ｓ４）、受信したデータを伸張すること（Ｓ５〜Ｓ６）を特徴とする。【選択図】図２
2006202420.tif 000002
【特許請求の範囲】
【請求項１】
ディスク装置と他の電子機器間で用いられるディスク装置のデータ送受信方法であって、前記ディスク装置は、他の電子機器からデータを受信する際に、受信したデータを伸張することを特徴とするディスク装置のデータ送受信方法。
【請求項２】
ディスク装置と他の電子機器間で用いられるディスク装置のデータ送受信方法であって、前記ディスク装置は、他の電子機器へデータを送信する際に、送信するデータを圧縮することを特徴とするディスク装置のデータ送受信方法。
【請求項３】
ディスク装置と他の電子機器間で用いられるディスク装置のデータ送受信方法であって、前記ディスク装置は、他の電子機器からデータを受信する際に受信したデータを伸張し、かつ他の電子機器へデータを送信する際に送信するデータを圧縮することを特徴とするディスク装置のデータ送受信方法。
【請求項４】
前記ディスク装置は、前記他の電子機器に接続されるか、もしくは他の電子機器に内蔵されることを特徴とする請求項１〜３いずれか１項に記載のディスク装置のデータ送受信方法。
【請求項５】
前記データ送受信方法に用いられるデータは、前記ディスク装置を制御するファームウェアであることを特徴とする請求項１〜４いずれか１項に記載のディスク装置のデータ送受信方法。
【請求項６】
前記データ送受信方法に用いられるデータは、圧縮されたことを示す識別子が埋め込まれていることを特徴とする請求項１〜５いずれか１項に記載のディスク装置のデータ送受信方法。
【請求項７】
前記他の電子機器は、パーソナルコンピュータであることを特徴とする請求項１〜６いずれか１項に記載のディスク装置のデータ送受信方法。
【請求項８】
前記ディスク装置は、光ディスク装置であることを特徴とする請求項１〜７いずれか１項に記載のディスク装置のデータ送受信方法。
【請求項９】
光ディスクを回転させる回転駆動手段と、
光ディスクに対して情報の記録又は再生の少なくとも一方を行なう光ピックアップと、
他の電子機器と通信を行なう通信手段と、
前記通信手段を制御する制御部を備えた光ディスク装置であって、
前記光ディスク装置は、他の電子機器からデータを受信する際に、受信したデータを伸張することを特徴とする光ディスク装置。
【請求項１０】
光ディスクを回転させる回転駆動手段と、
光ディスクに対して情報の記録又は再生の少なくとも一方を行なう光ピックアップと、
他の電子機器と通信を行なう通信手段と、
前記通信手段を制御する制御部を備えた光ディスク装置であって、
前記光ディスク装置は、他の電子機器へデータを送信する際に、送信するデータを圧縮することを特徴とする光ディスク装置。
【請求項１１】
光ディスクを回転させる回転駆動手段と、
光ディスクに対して情報の記録又は再生の少なくとも一方を行なう光ピックアップと、
他の電子機器と通信を行なう通信手段と、
前記通信手段を制御する制御部を備えた光ディスク装置であって、
前記ディスク装置は、他の電子機器からデータを受信する際に受信したデータを伸張し、かつ他の電子機器へデータを送信する際に送信するデータを圧縮することを特徴とする光ディスク装置。
【請求項１２】
光ディスクを回転させる回転駆動手段と、
光ディスクに対して情報の記録又は再生の少なくとも一方を行なう光ピックアップと、
他の電子機器と通信を行なう通信手段と、
前記通信手段を制御する制御部を備えた光ディスク装置であって、
前記光ディスク装置は、データを圧縮する手段またはデータを伸張する手段の少なくとも一方を有することを特徴とする光ディスク装置。
【発明の詳細な説明】
【技術分野】
【０００１】
本発明は、記録媒体に情報の記録または再生の少なくとも一方を行うディスク装置のデータ送受信方法及び光ディスク装置に関するものである。
【背景技術】
【０００２】
光ディスク装置は、オーディオ用ＣＤをはじめとして、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い、光ディスク装置のパーソナルコンピュータへの内蔵普及率も高くなっている。
【０００３】
ここで、光ディスク装置の構成について、図３を用いて説明する。
【０００４】
図３は、従来の光ディスク装置の構成を示すブロック図である。図３において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１１ａはデータを受信するブロック、１２はレーザ駆動部、１３はコントローラ、１３ａはデータをＦｌａｓｈＲＯＭに書き込むブロック、１３ｂはＦｌａｓｈＲＯＭである。
【０００５】
以上のように構成された従来の技術における光ディスク装置の動作について説明する。図３において、ピックアップモジュール２は、光ディスク１を回転させるスピンドルモータ３と、光ディスク１の情報信号を読み取るもしくは書き込むことの少なくとも一方を行なう光ピックアップ４と、光ピックアップ４が搭載されたキャリッジ５を光ディスクの半径方向に移動させるためのフィード部６とによって構成されたものである。アナログ信号処理部８は、ピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【０００６】
フォーカスエラー信号とは、光ピックアップ４に備えられた対物レンズ（図示せず）より出射される光ビームスポットと光ディスク１の記録面との焦点方向のずれをいう。トラッキングエラー信号とは、光スポットと光ディスク１の情報トラックとの光ディスク半径方向のずれをいう。また、アナログ信号処理部８は、トラッキングエラー信号の低域成分を取り出し、サーボ処理部９に出力する。サーボ処理部９は、対物レンズとキャリッジ５との相対的な位置関係を示すレンズ位置信号を生成し、モータ駆動部１０に出力する。
【０００７】
サーボ処理部９は、ＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。フィード部６は、フィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。コントローラ１３は、このように構成されたサーボ部の全体のコントロールを行うものであり、アナログ信号処理部８、サーボ処理部９、モータ駆動部１０、デジタル信号処理部１１、レーザ駆動部１２の各部から送られる信号が入力され、これらの信号の演算処理等を行い、この演算処理の結果（信号）を各部に送出し、各部にて駆動、処理を実行させ、各部の制御を行うものである。
【０００８】
デジタル信号処理部１１には、ＨＯＳＴのインターフェース回路を通して、データを受信するブロック１１ａがあり、また、コントローラ１３にはデジタル信号処理部１１のデータを受信するブロック１１ａから送られてきたデータをＦｌａｓｈＲＯＭに書き込むブロック１３ａとＦｌａｓｈＲＯＭ１３ｂがある。
【０００９】
以下、従来のデータ送受信の一例として、光ディスク装置のファームウェアのアップデート手順について説明する。
【００１０】
図４は、従来の光ディスク装置のファームウェアのアップデート手順について示すフローチャートである。
【００１１】
光ディスク装置を接続するパーソナルコンピュータ（以下、ＰＣ）などの電子機器は、光ディスク装置を制御するファームウェア（ｂｉｎファイル）をＰＣ上のアプリケーションであるホストローダーを通して光ディスク装置へ送信する（Ｓ１１）。光ディスク装置は、デジタル信号処理部１１のデータを受信するブロック１１ａでｂｉｎファイルを受信する（Ｓ１２）。データを受信するブロック１１ａは、ＰＣから送られてきたｂｉｎファイルの受信が全て完了すると（Ｓ１３）、受信されたｂｉｎファイルをコントローラ１３のデータをＦｌａｓｈＲＯＭに書き込むブロック１３ａへ送る。データをＦｌａｓｈＲＯＭに書き込むブロック１３ａでは、送られてきたデータを光ディスク装置のメモリであるＦｌａｓｈＲＯＭ１３ｂに書き込む（Ｓ１４）。そして、ＦｌａｓｈＲＯＭ１３ｂに書き込まれたｂｉｎファイルにより、光ディスク装置の制御が行なわれる。
【００１２】
先行例としては、（特許文献１）等がある。
【特許文献１】特開２００２−２９７４１０号公報
【発明の開示】
【発明が解決しようとする課題】
【００１３】
近年、光ディスク装置は、その機能アップにより通信するデータの容量が大きくなってきた。特に、光ディスク装置の制御を行なうファームウェア（バイナリーファイル：以下ｂｉｎファイル）においては、その状況が顕著となっている。
【００１４】
以下、前記データがファームウェア（ｂｉｎファイル）の場合を一例として説明する。
【００１５】
ファームウェアの容量（ｂｉｎファイル）が大きくなると、ＰＣなどの電子機器から光ディスク装置へｂｉｎファイルを送信する時間が長くなったり、従来はフロッピー（登録商標）ディスク（以下、ＦＤ）１枚の容量で収めることが可能であったｂｉｎファイルをＦＤ１枚の容量で収めることができなくなったりする弊害が生じてきた。
【００１６】
ｂｉｎファイルを送信する時間が長くなるということは、ファームウェアのアップデートに時間を要するということであり、ｂｉｎファイルをＦＤ１枚の容量で収めることができなくなるということは、ネットワークに接続されていない電子機器に接続されるか、もしくはその電子機器に内蔵される光ディスク装置のアップデートを行なう際のファームウェア（ｂｉｎファイル）の持ち運びに関しての利便性が損なわれるということである。
【００１７】
本発明は、このような従来の課題を解決するものであり、ＰＣなどの他の電子機器とディスク装置の間で送受信されるデータの容量を低減して送受信することができ、データを送受信する時間の削減およびデータの持ち運びに関する利便性を高めたディスク装置のデータ送受信方法及び光ディスク装置を提供することを目的とする。
【課題を解決するための手段】
【００１８】
本発明は、上記課題を解決するためになされたものであって、ディスク装置と他の電子機器間で用いられるディスク装置のデータ送受信方法であり、ディスク装置が他の電子機器からデータを受信する際に、受信したデータを伸張することを特徴とするディスク装置のデータ送受信方法である。また、ディスク装置と他の電子機器間で用いられるディスク装置のデータ送受信方法であり、ディスク装置が他の電子機器へデータを送信する際に、送信するデータを圧縮することを特徴とするディスク装置のデータ送受信方法である。さらに、ディスク装置と他の電子機器間で用いられるディスク装置のデータ送受信方法であり、ディスク装置が他の電子機器からデータを受信する際に受信したデータを伸張し、かつ他の電子機器へデータを送信する際に送信するデータを圧縮することを特徴とするディスク装置のデータ転送方法である。
【００１９】
また、本発明の光ディスク装置は、ディスクを回転させる回転駆動手段と、光ディスクに対して情報の記録又は再生の少なくとも一方を行なう光ピックアップと、他の電子機器と通信を行なう通信手段と、通信手段を制御する制御部を備えた光ディスク装置であって、光ディスク装置が、他の電子機器からデータを受信する際に、受信したデータを伸張することを特徴とする光ディスク装置である。また、光ディスクを回転させる回転駆動手段と、光ディスクに対して情報の記録又は再生の少なくとも一方を行なう光ピックアップと、他の電子機器と通信を行なう通信手段と、通信手段を制御する制御部を備えた光ディスク装置であって、光ディスク装置が、他の電子機器へデータを送信する際に、送信するデータを圧縮することを特徴とする光ディスク装置である。さらに、本発明の光ディスク装置は、光ディスクを回転させる回転駆動手段と、光ディスクに対して情報の記録又は再生の少なくとも一方を行なう光ピックアップと、他の電子機器と通信を行なう通信手段と、通信手段を制御する制御部を備えた光ディスク装置であって、ディスク装置が、他の電子機器からデータを受信する際に受信したデータを伸張し、かつ他の電子機器へデータを送信する際に送信するデータを圧縮することを特徴とする光ディスク装置である。
【００２０】
さらにまた、本発明の光ディスク装置は、光ディスクを回転させる回転駆動手段と、光ディスクに対して情報の記録又は再生の少なくとも一方を行なう光ピックアップと、他の電子機器と通信を行なう通信手段と、通信手段を制御する制御部を備えた光ディスク装置であって、光ディスク装置は、データを圧縮する手段またはデータを伸張する手段の少なくとも一方を有することを特徴とする光ディスク装置である。
【発明の効果】
【００２１】
本発明は上記構成により、ディスク装置と他の電子機器の間で用いられるデータ送受信の際に、送信されるデータが送信前に圧縮されることにより、本来の容量と比較して小さくすることが可能となるため、ディスク装置と他の電子機器の間のデータ送受信速度を、従来と比較して速くすることができる。
【００２２】
また、ネットワークに接続されていない他の電子機器に接続されているディスク装置へのデータ送信が必要な場合、そのデータの持ち運びに関しての利便性を高めることができる。
【００２３】
そのため、ディスク装置と他の電子機器間で用いられるディスク装置のデータ送受信の際に、送信されるデータを圧縮して送信することができるため、データを送受信する時間の削減およびデータの持ち運びに関する利便性を高めたディスク装置のデータ送受信方法及び光ディスク装置を実現することができる。
【発明を実施するための最良の形態】
【００２４】
請求項１記載の発明は、ディスク装置と他の電子機器間で用いられるディスク装置のデータ送受信方法であって、ディスク装置が他の電子機器からデータを受信する際に、受信したデータを伸張することを特徴とするものである。ディスク装置が他の電子機器からデータを受信する際に受信したデータを伸張することによって、ディスク装置と他の電子機器間で用いられるデータ送受信時に、送受信されるデータが送信前に圧縮されることにより、本来の容量と比較して小さくすることができるため、ディスク装置と他の電子機器間でのデータ送受信速度を、従来と比較して速くすることができる。また、ネットワークに接続されていない他の電子機器に接続されているディスク装置へのデータ送信が必要な場合、そのデータの持ち運びに関しての利便性を高めることができる。そのため、データを送受信する時間の削減およびデータの持ち運びに関する利便性を高めたディスク装置のデータ送受信方法を実現することができる。
【００２５】
請求項２記載の発明は、ディスク装置と他の電子機器間で用いられるディスク装置のデータ送受信方法であって、ディスク装置が他の電子機器へデータを送信する際に送信するデータを圧縮することを特徴とするものである。ディスク装置が他の電子機器へデータを送信する際に送信するデータを圧縮することによって、ディスク装置と他の電子機器間で用いられるデータ送受信時に、送信されるデータが送信前に圧縮されることにより、本来の容量と比較して小さくすることができるため、ディスク装置と他の電子機器間でのデータ送受信速度を、従来と比較して速くすることができる。そのため、データを送受信する時間の削減が可能なディスク装置のデータ送受信方法を実現することができる。
【００２６】
請求項３記載の発明は、ディスク装置と他の電子機器間で用いられるディスク装置のデータ送受信方法であって、ディスク装置が他の電子機器からデータを受信する際に受信したデータを伸張し、かつ他の電子機器へデータを送信する際に送信するデータを圧縮することを特徴とするものである。ディスク装置が他の電子機器からデータを受信する際に受信したデータを伸張し、かつ他の電子機器へデータを送信する際に送信するデータを圧縮することによって、ディスク装置と他の電子機器間で用いられるデータ送受信時に、送受信されるデータが送信前に圧縮されることにより、本来の容量と比較して小さくすることができるため、ディスク装置と他の電子機器間でのデータ送受信速度を、従来と比較して速くすることができる。また、ネットワークに接続されていない他の電子機器に接続されているディスク装置へのデータ送信が必要な場合、そのデータの持ち運びに関しての利便性を高めることができる。そのため、データを送受信する時間の削減およびデータの持ち運びに関する利便性を高めたディスク装置のデータ送受信方法を実現することができる。
【００２７】
請求項４記載の発明は、ディスク装置が他の電子機器に接続されるか、もしくは他の電子機器に内蔵されることを特徴とするものである。ディスク装置が他の電子機器に接続されるか、もしくは他の電子機器に内蔵されることによって、ディスク装置と他の電子機器間で用いられるディスク装置のデータ送受信を効率的に行なうことができる。
【００２８】
請求項５記載の発明は、データ送受信方法に用いられるデータが光ディスクを制御するファームウェアであることを特徴とするものである。データ送受信方法に用いられるデータがディスク装置を制御するファームウェアであることによって、本発明をファームウェアのアップデートに用いることができ、ファームウェアのアップデートに要する時間を削減することが可能となり、また、ｂｉｎファイルをＦＤ１枚の容量で収めることができる確率が増えるため、ネットワークに接続されていない他の電子機器に接続されているディスク装置のファームウェアのアップデートを行なう際のｂｉｎファイルの持ち運びに関しての利便性が向上する。
【００２９】
請求項６記載の発明は、データ送受信方法に用いられるデータに圧縮されたことを示す識別子が埋め込まれていることを特徴とするものである。データ送受信方法に用いられるデータに圧縮されたことを示す識別子が埋め込まれていることによって、本発明のデータ送受信方法を有するディスク装置が、従来形式のデータ送受信方法と本発明形式のデータ送受信方法の両方の機能を有している場合に、データの送受信方法を容易に識別することができ、また、本発明形式のデータ送受信方法の場合には、データ圧縮形式の特定が確実で容易となる。
【００３０】
請求項７記載の発明は、他の電子機器がパーソナルコンピュータであることを特徴とするものである。他の電子機器がパーソナルコンピュータであることによって、ディスク装置を容易にコントロールすることが可能となるため、より効率の良いデータ送受信を行なうことができる。
【００３１】
請求項８記載の発明は、ディスク装置が、光ディスク装置であることを特徴とするものである。ディスク装置が光ディスク装置であることによって、本発明の効果を最大限に発揮することができる。
【００３２】
請求項９記載の発明は、光ディスクを回転させる回転駆動手段と、光ディスクに対して情報の記録又は再生の少なくとも一方を行なう光ピックアップと、他の電子機器と通信を行なう通信手段と、通信手段を制御する制御部を備えた光ディスク装置であって、光ディスク装置が他の電子機器からデータを受信する際に、受信したデータを伸張することを特徴とするものである。光ディスク装置が他の電子機器からデータを受信する際に、受信したデータを伸張することによって、光ディスク装置と他の電子機器間で用いられるデータ送受信時に、送信されるデータを送信前に圧縮することが可能となり、本来の容量と比較して小さくすることができるため、光ディスク装置と他の電子機器間でのデータ送受信速度を、従来と比較して速くすることができる。また、ネットワークに接続されていない他の電子機器に接続されている光ディスク装置へのデータ送信が必要な場合、そのデータの持ち運びに関しての利便性を高めることができる。そのため、データを送受信する時間の削減およびデータの持ち運びに関する利便性を高めた光ディスク装置を実現することができる。
【００３３】
請求項１０記載の発明は、光ディスクを回転させる回転駆動手段と、光ディスクに対して情報の記録又は再生の少なくとも一方を行なう光ピックアップと、他の電子機器と通信を行なう通信手段と、通信手段を制御する制御部を備えた光ディスク装置であって、光ディスク装置が他の電子機器へデータを送信する際に、送信するデータを圧縮することを特徴とするものである。光ディスク装置が他の電子機器へデータを送信する際に、送信するデータを圧縮することによって、光ディスク装置と他の電子機器間で用いられるデータ送受信時に、送信されるデータが送信前に圧縮されることにより、本来の容量と比較して小さくすることができるため、光ディスク装置と他の電子機器間でのデータ送受信速度を、従来と比較して速くすることができる。そのため、データを送受信する時間の削減が可能な光ディスク装置を実現することができる。
【００３４】
請求項１１記載の発明は、光ディスクを回転させる回転駆動手段と、光ディスクに対して情報の記録又は再生の少なくとも一方を行なう光ピックアップと、他の電子機器と通信を行なう通信手段と、通信手段を制御する制御部を備えた光ディスク装置であって、ディスク装置が、他の電子機器からデータを受信する際に受信したデータを伸張し、かつ他の電子機器へデータを送信する際に送信するデータを圧縮することを特徴とするものである。ディスク装置が、他の電子機器からデータを受信する際に受信したデータを伸張し、かつ他の電子機器へデータを送信する際に送信するデータを圧縮することによって、光ディスク装置と他の電子機器間で用いられるデータ送受信時に、送信されるデータを送信前に圧縮することが可能となり、本来の容量と比較して小さくすることができるため、光ディスク装置と他の電子機器間でのデータ送受信速度を、従来と比較して速くすることができる。また、ネットワークに接続されていない他の電子機器に接続されている光ディスク装置へのデータ送信が必要な場合、そのデータの持ち運びに関しての利便性を高めることができる。そのため、データを送受信する時間の削減およびデータの持ち運びに関する利便性を高めた光ディスク装置を実現することができる。
【００３５】
請求項１２記載の発明は、光ディスクを回転させる回転駆動手段と、光ディスクに対して情報の記録又は再生の少なくとも一方を行なう光ピックアップと、他の電子機器と通信を行なう通信手段と通信手段を制御する制御部を備えた光ディスク装置であって、光ディスク装置がデータを圧縮する手段またはデータを伸張する手段の少なくとも一方を有することを特徴とするものである。光ディスク装置がデータを圧縮する手段またはデータを伸張する手段の少なくとも一方を有することによって、光ディスク装置と他の電子機器間で用いられるデータ送受信時に、送信されるデータが送信前に圧縮されることにより、本来の容量と比較して小さくすることができるため、ディスク装置と他の電子機器間でデータ送受信速度を、従来と比較して速くすることができる。また、ネットワークに接続されていない他の電子機器に接続されている光ディスク装置へのデータ送信が必要な場合、そのデータの持ち運びに関しての利便性を高めることができる。そのため、データを送受信する時間の削減およびデータの持ち運びに関する利便性を高めた光ディスク装置を実現することができる。
【００３６】
（実施の形態１）
以下、本発明の一実施の形態について、ディスク装置の一例として光ディスク装置を用い、他の電子機器の一例としてパーソナルコンピュータを用いて、図面を参照しながら説明する。
【００３７】
図１は、本発明の一実施の形態における光ディスク装置の構成を示すブロック図である。図１において、１は光ディスク、２はピックアップモジュール、３はスピンドルモータ、４は光ピックアップ、５はキャリッジ、６はフィード部、７はフィードモータ、８はアナログ信号処理部、９はサーボ処理部、１０はモータ駆動部、１１はデジタル信号処理部、１１ａはデータを受信するブロック、１２はレーザ駆動部、１３はコントローラ、１３ａはデータをＦｌａｓｈＲＯＭに書き込むブロック、１３ｂはＦｌａｓｈＲＯＭ、１３ｃは判断ブロック、１３ｄはｂｉｎファイルを伸張するブロックである。
【００３８】
以上のように構成された本発明の一実施の形態における光ディスク装置の動作について説明する。図１において、ピックアップモジュール２は、光ディスク１を回転させるスピンドルモータ３と、光ディスク１の情報信号を読み取るもしくは書き込むことの少なくとも一方を行なう光ピックアップ４と、光ピックアップ４が搭載されたキャリッジ５を光ディスクの半径方向に移動させるためのフィード部６とによって構成されたものである。アナログ信号処理部８は、ピックアップモジュール２の内部に設けられたキャリッジ５中の光ピックアップ４内部の光センサ（図示せず）からの信号出力を基に、フォーカスエラー信号とトラッキングエラー信号とを生成し、サーボ処理部９に出力する。
【００３９】
フォーカスエラー信号とは、光ピックアップ４に備えられた対物レンズ（図示せず）より出射される光ビームスポットと光ディスク１の記録面との焦点方向のずれをいう。トラッキングエラー信号とは、光スポットと光ディスク１の情報トラックとの光ディスク半径方向のずれをいう。また、アナログ信号処理部８は、トラッキングエラー信号の低域成分を取り出し、サーボ処理部９に出力する。サーボ処理部９は、対物レンズとキャリッジ５との相対的な位置関係を示すレンズ位置信号を生成し、モータ駆動部１０に出力する。
【００４０】
サーボ処理部９は、ＯＮ／ＯＦＦ回路、演算回路、フィルタ回路、増幅回路等によって構成され、光ビームスポットが光ディスク１の情報トラックに追従するように対物レンズをフォーカス／トラッキング制御し、さらにトラッキングエラー信号の低域成分を用いて対物レンズが概略中立位置を保持するようにフィード制御を行う。フィード部６は、フィードモータ７、ギヤ（図示せず）、スクリューシャフト（図示せず）等から構成され、フィードモータ７を回転させることによってキャリッジ５が移動し、その際フィードモータ７よりフィードモータパルスが周期的に出力されるようになっている。
【００４１】
コントローラ１３は、このように構成されたサーボ部の全体のコントロールを行うものであり、アナログ信号処理部８、サーボ処理部９、モータ駆動部１０、デジタル信号処理部１１、レーザ駆動部１２の各部から送られる信号が入力され、これらの信号の演算処理等を行い、この演算処理の結果（信号）を各部に送出し、各部にて駆動、処理を実行させ、各部の制御を行うものである。
【００４２】
デジタル信号処理部１１には、ＨＯＳＴのインターフェース回路を通して、光ディスク装置に接続されたＰＣもしくは光ディスク装置を内蔵したＰＣと通信を行なう通信手段であるデータを受信するブロック１１ａがあり、また、コントローラ１３にはデジタル信号処理部１１のデータを受信するブロック１１ａから送られてきたデータをＦｌａｓｈＲＯＭに書き込むブロック１３ａ、光ディスク装置のメモリであるＦｌａｓｈＲＯＭ１３ｂ、受信されたｂｉｎファイルがデータ圧縮なしの形式かデータ圧縮ありの形式かを判断する判断ブロック１３ｃ、ｂｉｎファイルを伸張するブロック１３ｄがある。
【００４３】
以下、本発明の他の電子機器の一例としてパーソナルコンピュータを用い、また本発明のデータ送受信の一例としてファームウェアを用いて、そのアップデート手順について説明する。
【００４４】
図２は、本発明の一実施の形態における光ディスク装置のファームウェアのアップデート手順について示すフローチャートである。
【００４５】
光ディスク装置を接続するパーソナルコンピュータ（以下、ＰＣ）などの電子機器は、光ディスク装置を制御するファームウェア（バイナリーファイル：以下、ｂｉｎファイル）をＰＣ上のアプリケーションであるホストローダーを通して光ディスク装置へ送信する（Ｓ２）。
【００４６】
送信されるｂｉｎファイルは、ＰＣ上のアプリケーションにより光ディスク装置が伸張可能な圧縮形式により、データの圧縮が行なわれ（Ｓ１）、光ディスク装置への送信が行なわれる。用いられる圧縮形式はＰＣ側と光ディスク装置側の相互対応が図られていればＺＩＰ方式やＬＨＺ方式など何でも良いが、好ましくはＺＩＰ方式である。
【００４７】
このとき、圧縮されるデータには、圧縮されたことを示す識別子が埋め込まれることが好ましい。こうすることにより、後述する圧縮されたデータの識別が容易となる。また、光ディスク装置とそれをコントロールするＰＣの接続は、光ディスク装置とパーソナルコンピュータが分離しているタイプの場合には、例えば、ＵＳＢ（ユニバーサル・シリアル・バス）ケーブルなどを用いて接続し、光ディスク装置がＰＣに内蔵されているタイプの場合には、フレキシブルケーブルなどを用いて接続する。いずれの場合も有線、無線にかかわらず、接続可能である。
【００４８】
次に、光ディスク装置は、デジタル信号処理部１１のデータを受信するブロック１１ａでｂｉｎファイルを受信する（Ｓ３）。データを受信するブロック１１ａは、ＰＣから送られてきたｂｉｎファイルの受信が全て完了すると（Ｓ４）、そのデータをコントローラ１３にある判断ブロック１３ｃに送り、そこで、受信されたｂｉｎファイルが圧縮されているかの確認と圧縮形式の特定を行なう（Ｓ５）。
【００４９】
圧縮されているかの確認と圧縮形式の特定には、識別子を用いる方法、ｂｉｎファイルを構成するデータを解析して圧縮されているかの確認と圧縮形式を特定するなどの方法があるが、圧縮されているかの確認と圧縮形式の特定は、ＰＣでデータが圧縮されたときに、そのデータに埋め込まれた識別子により判断することが好ましい。こうすることにより、本発明のデータ送受信方法を有する光ディスク装置が、従来形式のデータ送受信方法と本発明形式のデータ送受信方法の両方の機能を有している場合に、データの送受信方法を容易に識別することができ、また、本発明形式のデータ送受信方法の場合には、データ圧縮形式の特定も確実で容易になる。さらに、識別子を用いる方法では、ｂｉｎファイルを構成するデータを解析する時間も削減されるため、時間的にも優位となる。しかしながら、ＰＣに内蔵されていない光ディスク装置の場合、ＰＣと光ディスク装置のバージョン相違などによる圧縮／伸張アプリケーションのミスマッチが発生する可能性があることや初めからデータ内に識別子が埋め込まれていないことも想定されるため、これを考慮して、圧縮されているかの確認と圧縮形式の特定には、識別子を用いる方法と、ｂｉｎファイルを構成するデータを解析して圧縮されているかの確認と圧縮形式を特定する方法を併用しても良い。次に、受信されたｂｉｎファイルがデータ圧縮されていない場合には、判断ブロック１３ｃは、受信したｂｉｎファイルをコントローラ１３のデータをＦｌａｓｈＲＯＭに書き込むブロック１３ａへ送る。ＦｌａｓｈＲＯＭに書き込むブロック１３ａでは、送られてきたデータを光ディスク装置のメモリであるＦｌａｓｈＲＯＭ１３ｂに書き込む（Ｓ７）。
【００５０】
また、受信されたｂｉｎファイルがデータ圧縮されている場合には、判断ブロック１３ｃは、受信したｂｉｎファイルとその圧縮形式の情報をコントローラ１３のｂｉｎファイルを伸張するブロック１３ｄに送る。ｂｉｎファイルを伸張するブロック１３ｄでは、送られてきた圧縮データとその圧縮形式の情報をもとに圧縮データを元のデータの容量に伸張する（Ｓ６）。その後、ｂｉｎファイルを伸張するブロック１３ｄは、伸張したデータをＦｌａｓｈＲＯＭに書き込むブロック１３ａへ送り、データをＦｌａｓｈＲＯＭに書き込むブロック１３ａでは、送られてきたデータを光ディスク装置のメモリであるＦｌａｓｈＲＯＭ１３ｂに書き込む（Ｓ７）。そして、ＦｌａｓｈＲＯＭ１３ｂに書き込まれたｂｉｎファイルにより光ディスク装置のファームウェアのアップデート情報が書き換えられる。
【００５１】
以上の内容により、ディスク装置と他の電子機器の間で用いられるデータ送受信時に、送受信されるデータが送信前に圧縮されることにより、本来の容量と比較して小さくすることができるため、ディスク装置と他の電子機器の間のデータ送受信速度を、従来と比較して速くすることができる。また、ネットワークに接続されていない他の電子機器に接続されているディスク装置へのデータ送信が必要な場合、そのデータの持ち運びに関しての利便性を高めることができる。
【００５２】
そのため、ディスク装置と他の電子機器間で用いられるディスク装置のデータ送受信の際に、送信されるデータを圧縮して送信することができるため、データを送受信する時間の削減およびデータの持ち運びに関する利便性を高めたディスク装置のデータ送受信方法及び光ディスク装置を実現することができる。
【００５３】
なお、本実施の形態においては、光ディスク装置と他の電子機器間で用いられるデータ送受信方法で、他の電子機器から送信され、光ディスク装置で受信されることについて述べたが、他の電子機器は光ディスク装置に接続される電子機器もしくは光ディスク装置を内蔵した電子機器のいずれの場合でも良く、また光ディスク装置はＨＤＤ（Ｈａｒｄ  Ｄｉｓｋ  Ｄｒｉｖｅ）、ＦＤＤ（Ｆｌｏｐｐｙ（登録商標）  Ｄｉｓｋ  Ｄｒｉｖｅ）などのディスク装置に置き換わっても良く、さらにデータの送受信方向はディスク装置から送信され他の電子機器で受信される場合や、他の電子機器から送信されディスク装置で受信される場合とディスク装置から送信され他の電子機器で受信される場合の双方向通信でも良い。好ましくは、他の電子機器から送信され、ディスク装置で受信される場合に用いることである。そうすることにより、より多くの処理が必要な圧縮処理を、ディスク装置をコントロールするＰＣなどの電子機器側に持ってくることによって、より効率の高いデータ送受信を行なうことができる。
【００５４】
また、ディスク装置が他の電子機器に接続されるか、もしくは電子機器に内蔵される場合には、ディスク装置と他の電子機器間で用いられるディスク装置のデータ送受信を効率的に行なうことができ、ディスク装置が光ディスク装置である場合には本発明の効果を最大限に生かすことができる。
【００５５】
また、本実施の形態においては、データ送受信の一例としてファームウェアを用いて説明したが、本発明のデータ送受信方法に用いられるデータは、ディスク装置を制御するファームウェアに限定されるものではない。データ送受信方法に用いられるデータがファームウェアの場合には、本発明をファームウェアのアップデートに用いることができ、ファームウェアのアップデートに要する時間を低減することができ、また、ｂｉｎファイルをＦＤ１枚の容量で収めることができる確率が増えるため、ネットワークに接続されていない他の電子機器に接続される光ディスク装置のアップデートを行なう際のｂｉｎファイルの持ち運びに高価な大容量デバイスなどを用いる確率が低くなり、使用者の利便性が向上する。そのため、本発明のデータ送受信方法に用いられるデータは、ディスク装置を制御するファームウェアであることが好ましい。
【００５６】
さらに、本実施の形態では、電子機器の一例としてＰＣを用いて説明したが、本発明の他の電子機器はＰＣに限定されるものではない。他の電子機器としてＰＣを用いることにより、より多くの処理が必要な圧縮処理を、ディスク装置をコントロールするＰＣ側で行なうことによって、より効率良いデータ送受信を行なうことができる。そのため、本発明の他の電子機器は、ＰＣであることが好ましい。
【産業上の利用可能性】
【００５７】
本発明は、データを送受信する時間の削減およびデータの持ち運びに関する利便性を高めることができるため、記録媒体に情報の記録または再生の少なくとも一方を行うディスク装置のデータ送受信方法及び光ディスク装置などに適応可能である。
【図面の簡単な説明】
【００５８】
【図１】本発明の一実施の形態における光ディスク装置の構成を示すブロック図
【図２】本発明の一実施の形態における光ディスク装置のファームウェアのアップデート手順について示すフローチャート
【図３】従来の光ディスク装置の構成を示すブロック図
【図４】従来の光ディスク装置のファームウェアのアップデート手順について示すフローチャート
【符号の説明】
【００５９】
１    光ディスク
２    ピックアップモジュール
３    スピンドルモータ
４    光ピックアップ
５    キャリッジ
６    フィード部
７    フィードモータ
８    アナログ信号処理部
９    サーボ処理部
１０    モータ駆動部
１１    デジタル信号処理部
１１ａ    データを受信するブロック
１２    レーザ駆動部
１３    コントローラ
１３ａ    データをＦｌａｓｈＲＯＭに書き込むブロック
１３ｂ    ＦｌａｓｈＲＯＭ
１３ｃ    判断ブロック
１３ｄ    ｂｉｎファイルを伸張するブロック
【図１】
2006202420.tif 000003
【図２】
2006202420.tif 000004
【図３】
2006202420.tif 000005
【図４】
2006202420.tif 000006